(57)【要約】【課題】  設定値の変更操作の利便性を向上させることが可能な空気調和機の制御装置を提供する。【解決手段】  複数の運転機能に応じて異なる設定可能範囲で運転する空気調和機Ａの制御装置（リモートコントローラ）１である。設定可能な上限値及び下限値と、設定値と、現在値と、を表示する表示手段６と、前記設定可能範囲を記憶し、前記空気調和機の運転状態に応じた前記設定可能範囲に基づいて前記上限値及び前記下限値を表示させる制御手段３を備えてなる。表示手段６は、目盛り部と、前記設定値に基づいて前記目盛り部を指示する設定値指示部と、を表示してなる。【選択図】  図１
2009002593.tif 000002
【特許請求の範囲】
【請求項１】
複数の運転機能に応じて異なる設定可能範囲で運転する空気調和機の制御装置であって、
設定可能な上限値及び下限値と、設定値と、現在値と、を表示する表示手段と、
前記設定可能範囲を記憶し、前記空気調和機の運転状態に応じた前記設定可能範囲に基づいて前記上限値及び前記下限値を表示させる制御手段と、を備えてなることを特徴とする空気調和機の制御装置。
【請求項２】
前記表示手段は、目盛り部と、前記設定値に基づいて前記目盛り部を指示する設定値指示部と、を表示してなることを特徴とする請求項１に記載の空気調和機の制御装置。
【請求項３】
前記制御手段は、前記設定値指示部の表示位置の変化に伴って前記表示手段における前記設定値の表示位置を前記目盛り部に沿って変化させてなることを特徴とする請求項２に記載の空気調和機の制御装置。
【請求項４】
前記表示手段は、前記現在値に基づいて前記目盛り部を指示する現在値指示部を表示してなることを特徴とする請求項２に記載の空気調和機の制御装置。
【請求項５】
前記制御手段は、前記現在値指示部の表示位置の変化に伴って前記表示手段における前記現在値の表示位置を前記目盛り部に沿って変化させてなることを特徴とする請求項２に記載の空気調和機の制御装置。
【請求項６】
前記上限値及び前記下限値は、前記目盛り部の両端側にそれぞれ表示されてなることを特徴とする請求項２に記載の空気調和機の制御装置。
【請求項７】
前記空気調和機は前記運転機能として冷房運転機能，暖房運転機能，除湿運転機能及び加湿運転機能のうちの複数を有し、前記空気調和機が冷房運転あるいは暖房運転を行う場合には、前記上限値，前記下限値，前記設定値及び前記現在値に対応する温度が前記表示手段に表示され、前記空気調和機が除湿運転あるいは加湿運転を行う場合には、前記上限値，前記下限値，前記設定値及び前記現在値に対応する湿度が前記表示手段に表示されてなることを特徴とする請求項１に記載の空気調和機の制御装置。
【請求項８】
前記表示手段は、ドットマトリクス型の表示素子を備えてなる事を特徴とする請求項１に記載の空気調和機の制御装置。
【発明の詳細な説明】
【技術分野】
【０００１】
本発明は、空気調和機の制御装置に関し、特に、表示内容を自由に変更可能な表示手段を備える空気調和機の制御装置に関するものである。
【背景技術】
【０００２】
従来より、空気調和機の制御装置は、冷房運転，暖房運転，除湿運転あるいは加湿運転等の運転機能の切換や、設定温度や設定湿度あるいは風量などの設定を行うものである。また、かかる空気調和機の制御装置は、近年では運転状態や設定値の各種表示を行う表示手段を備えることが一般的であり、利用者は前記表示手段によって空気調和機の設定の状況を確認しながら運転機能等の切り換えを行うことができる（例えば特許文献１参照）。
【特許文献１】特開平５−１１８６２８号公報
【発明の開示】
【発明が解決しようとする課題】
【０００３】
ここで、従来の空気調和機の制御装置においては、前記表示手段に設定値や現在値（温度の場合は室温）を表示するだけのものであって、利用者は設定値の数値を変更するに際しては、前記表示手段に表示される設定値と現在値とを比較しながら行うのみであった。しかしながら、空気調和機によっては運転機能によってそれぞれ設定可能範囲が異なる場合があり、実際に設定値を切り換えなければ設定可能な範囲の上限及び下限を把握することができない。例えば、冷房運転において設定可能な温度範囲と暖房運転において設定可能な温度範囲とが異なる場合がある。そのため、設定値が上限あるいは下限に達している場合であっても余計な変更操作を行ってしまい利用者にとって煩わしいという問題点があった。
【０００４】
本発明は、この問題点に鑑みてなされたものであり、設定値を変更する際の利便性を向上させることが可能な空気調和機の制御装置を提供することを目的とする。
【課題を解決するための手段】
【０００５】
本発明は、前記課題を解決するため、複数の運転機能に応じて異なる設定可能範囲で運転する空気調和機の制御装置であって、設定可能な上限値及び下限値と、設定値と、現在値と、を表示する表示手段と、前記設定可能範囲を記憶し、前記空気調和機の運転状態に応じた前記設定可能範囲に基づいて前記上限値及び前記下限値を表示させる制御手段と、を備えてなることを特徴とする。
【０００６】
また、前記表示手段は、目盛り部と、前記設定値に基づいて前記目盛り部を指示する設定値指示部と、を表示してなることを特徴とする。
【０００７】
また、前記制御手段は、前記設定値指示部の表示位置の変化に伴って前記表示手段における前記設定値の表示位置を前記目盛り部に沿って変化させてなることを特徴とする。
【０００８】
また、前記表示手段は、前記現在値に基づいて前記目盛り部を指示する現在値指示部を表示してなることを特徴とする。
【０００９】
また、前記制御手段は、前記現在値指示部の表示位置の変化に伴って前記表示手段における前記現在値の表示位置を前記目盛り部に沿って変化させてなることを特徴とする。
【００１０】
また、前記上限値及び前記下限値は、前記目盛り部の両端側にそれぞれ表示されてなることを特徴とする。
【００１１】
また、前記空気調和機は前記運転機能として冷房運転機能，暖房運転機能，除湿運転機能及び加湿運転機能のうちの複数を有し、前記空気調和機が冷房運転あるいは暖房運転を行う場合には、前記上限値，前記下限値，前記設定値及び前記現在値に対応する温度が前記表示手段に表示され、前記空気調和機が除湿運転あるいは加湿運転を行う場合には、前記上限値，前記下限値，前記設定値及び前記現在値に対応する湿度が前記表示手段に表示されてなることを特徴とする。
【００１２】
また、前記表示手段は、ドットマトリクス型の表示素子を備えてなる事を特徴とする。
【発明の効果】
【００１３】
本発明は、空気調和機の制御装置に関するものであって、設定値の変更をする際の利便性を向上させることが可能となる。
【発明を実施するための最良の形態】
【００１４】
以下、添付図面に基づいて、本発明の実施形態を説明する。
【００１５】
リモートコントローラ（制御装置）１は、キー入力手段２と、制御手段３と、記憶部４と、送受信手段５と、表示手段６を有し、制御信号を送信して空気調和機Ａの運転を制御するものである。
【００１６】
キー入力手段２は、例えば押しボタンスイッチ等からなり、空気調和機Ａの制御に関する各種操作を行うものである。また、キー入力手段２は、本実施形態においては、特に冷房運転機能，暖房運転機能，除湿運転機能及び加湿運転機能からなる各種運転機能の切換操作及び各種運転機能における設定値の変更操作を行うものである。
【００１７】
制御手段３は、主にマイクロコンピュータによって構成されるものであり、所定のプログラムを実行するためのＣＰＵと、前記プログラムが記憶されたＲＯＭと、演算結果等を一時的に記憶するＲＡＭと、空気調和機Ａの運転を制御するために制御信号を出力するための駆動回路と、キー入力手段２からの操作信号を入力するためのインターフェイス部等を有している。また、制御手段３は、例えばキー入力手段２から前記運転機能の切換操作を検出し、運転中の運転機能に応じた設定可能範囲に基づいて表示手段６に上限値，下限値を表示させる。なお、運転運転機能の切り換えの検出は、空気調和機Ａからのアンサーバック信号を検出するものであってもよい。
【００１８】
記憶部４は、各種運転機能における設定可能範囲等の各種データを不揮発的に記録するものであり、例えばＥＥＰＲＯＭからなる。なお、前記冷房運転機能及び前記暖房運転機能においては前記設定可能範囲は設定可能な温度範囲であり、前記除湿運転機能及び前記加湿運転機能においては前記設定可能範囲は設定可能な湿度範囲である。
【００１９】
送受信手段５は、赤外線発光ダイオード及び赤外線センサ等を備え、制御手段３の前記制御信号を赤外線送信信号により空気調和機Ａに送信し、また、空気調和機Ａからの赤外線送信信号を受信するものである。
【００２０】
表示手段６は、表示素子として例えばドットマトリクス型の液晶表示素子を備えるものであり、その表示内容をドット表示によって自由に変更することができるものが用いられる。
【００２１】
次に、表示手段６の表示例について説明する。
【００２２】
図２は、表示手段６の表示例を示すものであり、各種運転機能のうち冷房運転機能が選択されている場合の表示例を示している。６ａは、冷房運転機能における設定可能範囲を示す目盛り部であり、複数の指標６ａ１を有する。なお、目盛り部６ａとしては指標６ａ１を有しないバー表示部であってもよい。目盛り部６ａの上端側には冷房運転機能における設定可能温度範囲の上限温度を示す上限値６ｂが表示される。目盛り部６ａの下端側には設定可能温度範囲の下限温度を示す下限値６ｃが表示される。また、表示手段６には冷房運転機能における設定温度を示す設定値６ｄが表示されるとともに設定値６ｄに基づいて目盛り部６ａの指標６ａ１を指示する設定値指示部６ｅが表示される。設定値指示部６ｅはキー入力手段２による設定値６ｄの変更操作に応じて指示位置を変更する。また、設定値６ｄは設定値指示部６ｅの近傍に表示され、設定値指示部６ｅの指示位置の変更に伴って目盛り部６ａに沿って上下に移動する。また、表示手段６には冷房運転機能における室温を示す現在値６ｆが表示されるとともに現在値６ｆに基づいて目盛り部６ａの指標６ａ１を指示する現在値指示部６ｇが表示される。現在値指示部６ｇは現在値６ｆの変化に応じて指示位置を変更する。また、現在値６ｆは現在値指示部６ｇの近傍に表示され、現在値指示部６ｇの指示位置の変更に伴って目盛り部６ａに沿って上下に移動する。
【００２３】
制御手段３は、キー入力手段２から空気調和機Ａの運転機能の切り換えを検出すると、新たに選択された運転機能における設定可能範囲に応じて上限値６ｂ及び下限値６ｃを算出し、表示手段６に算出された上限値６ｂ及び下限値６ｃを表示させる。また、制御手段３は、新たに選択された運転機能に応じた設定値６ｄ及び現在値６ｆを表示させる。
【００２４】
図３は、空気調和機Ａの運転機能が除湿運転機能に切り換えられた場合に表示手段６の表示例を示すものである。図３においては、上限値６ｂ，下限値６ｃ，設定値６ｄ及び現在値６ｆは、上述の制御方法によって除湿運転機能に応じた湿度の表示に切り換えられる。
【００２５】
かかるリモートコントローラ１は、制御手段３によって空気調和機Ａの運転状態を検出し、表示手段６に選択された運転機能に応じた設定可能範囲に基づく上限値６ｂ及び下限値６ｃを表示することによって、設定値６ｄが既に設定可能範囲の上限あるいは下限に達しているか否かを余計な変更操作をすることなく瞬時に判別することができ、設定値６ｄを変更する際の利便性を向上させることができる。また、表示手段６に目盛り部６ａを表示し、目盛り部６ａに対応する位置に上限値６ｂ及び下限値６ｃを表示させ、さらに、設定値指示部６ｅによって設定値６ｄに基づいて目盛り部６ａを指示することによって、設定可能範囲と現在の設定値６ｄとを高低関係を視覚的に認識することができ、利用者の利便性をさらに向上させることが可能である。また、現在値指示部６ｇによって現在値６ｆに基づいて目盛り部６ａを指示することによって、さらに設定値６ｄと現在値６ｇとの高低関係を視覚的に認識することができ、利用者の利便性をさらに向上させることができる。また、設定値指示部６ｅあるいは現在値指示部６ｇの表示位置の変化に伴って設定値６ｄあるいは現在値６ｆの表示位置を変化させることによって、設定値６ｄあるいは現在値６ｆの変化を利用者がより容易に把握することができ、利用者の利便性をさらに向上させることができる。
【００２６】
なお、本実施形態においては、空気調和機の制御装置は、空気調和機Ａと別体に設けられるリモートコントローラ１であったが、本発明の制御装置は、空気調和機と一体的に設けられる操作パネルであってもよい。
【図面の簡単な説明】
【００２７】
【図１】本発明の実施形態である空気調和機の制御装置の電気的構成を示すブロック図。
【図２】同上の表示手段の表示例を示す図。
【図３】同上の表示手段の表示例を示す図。
【符号の説明】
【００２８】
１  リモートコントローラ（制御装置）
２  キー入力手段
３  制御手段
４  記憶部
５  送受信手段
６  表示手段
６ａ  目盛り部
６ｂ  上限値
６ｃ  下限値
６ｄ  設定値
６ｅ  設定値指示部
６ｆ  現在値
６ｇ  現在値指示部
【図１】
2009002593.tif 000003
【図２】
2009002593.tif 000004
【図３】
2009002593.tif 000005